(57)【要約】      （修正有）【課題】カットゲーム機において、景品を吊下展示するロープを遊戯手段で押し込んでしまったり振動が発生した際にも、ロープが案内手段から外れてしまう事故を確実に防止でき、しかも、景品の吊下展示や交換時にロープを案内手段に案内したり外したりする作業を容易にかつ素早く行なうことのできる、ロープ保持具を提供する。【解決手段】案内パイプに取り付け可能とされた取付部１４と、該取付部１４から延設された保持部１５を備え、該案内パイプと該取付部１４間でスライドさせることで取り付け位置を変更可能とする。また、取付部１４または保持部１５の少なくとも一方に、案内パイプに取り付けた際に案内パイプの軸方向と垂直になる方向に突出する突出部１６を設け、さらに該突出部１６に穴１７を備えて紐を通せるようにすることができる。【選択図】図１
0003207006.tif 000002
【実用新案登録請求の範囲】
【請求項１】
遊戯空間内に景品をロープによって吊下展示可能とされ、かつ、該遊戯空間内に該ロープを案内する案内手段が設けられた案内パイプを備えた景品獲得ゲーム機で用いられるロープ保持具であって、
該案内パイプに取り付け可能とされた取付部と、
該取付部から延設された保持部を備え、
該案内パイプと該取付部間でスライドさせることで取り付け位置を変更可能とされており、
該保持部が該案内手段の一部を覆うことで、該案内手段から該ロープが外れることを防止することが可能とされていることを特徴とする、ロープ保持具。
【請求項２】
前記取付部は、前記案内パイプを挟持することによって取り付けられる
ことを特徴とする、請求項１に記載のロープ保持具。
【請求項３】
前記取付部は、永久磁石を備えており、該永久磁石の磁力によって前記案内パイプに取り付けられる
ことを特徴とする、請求項１に記載のロープ保持具。
【請求項４】
前記取付部または前記保持部の少なくとも一方に、前記案内パイプに取り付けた際に前記案内パイプの軸方向と垂直になる方向に突出する突出部が設けられている
ことを特徴とする、請求項１乃至請求項３のいずれか一に記載のロープ保持具。
【請求項５】
前記突出部に穴が設けられている
ことを特徴とする、請求項４に記載のロープ保持具。
【請求項６】
前記保持部に凸部が設けられ、該凸部は前記案内手段に僅かに嵌るように設定されている
ことを特徴とする、請求項１乃至請求項５のいずれか一に記載のロープ保持具。
【請求項７】
ばね鋼鋼材によって作られている
ことを特徴とする、請求項１乃至請求項６のいずれか一に記載のロープ保持具。
【請求項８】
樹脂によって作られている
ことを特徴とする、請求項１乃至請求項６のいずれか一に記載のロープ保持具。
【考案の詳細な説明】
【技術分野】
【０００１】
本考案は、景品獲得ゲーム機に使用されるロープ保持具に関するものである。より詳しくは、遊戯空間内にロープで吊下げることで景品を展示し、遊戯者が操作する切断手段を備えた遊戯手段によってロープが切断されることによって景品が払い出される景品獲得ゲーム機において、景品を吊り下げているロープを案内して乱れや揺れを防ぐ働きをする案内手段からロープが外れてしまうことを防止することにより、安定した遊戯を行なえるようにするためのロープ保持具に関するものである。
【背景技術】
【０００２】
従来より様々な景品獲得ゲーム機が実用に供されており、ゲームセンターをはじめとする遊戯施設に設置されて多くの遊戯者に楽しまれている。このような景品獲得ゲーム機のうち、本願考案者の発明に係る景品獲得ゲーム機（以下、「カットゲーム機」という）は、そのユニークな遊戯内容と華やかな外観から、特に人気のあるものの一つである。
【０００３】
カットゲーム機とは、例えば特開２０１０−１８４１２９公開特許公報の図１に開示された発明に係る景品獲得ゲーム機であり、その一実施形態を図４に示す（部分詳細説明に図５も使用する）。カットゲーム機（１）では、少なくとも一部が透明または半透明の素材で遮蔽された遊戯空間（４）の上部から景品（５）をロープ（９）で吊下展示する。なお、ロープ（９）はその名称に関わらず、様々な素材・太さの紐状の物品が使用されることがある。そして、同じく遊戯空間内に遊戯者が操作手段（３）を操作することによって少なくとも２方向に移動可能とされ、かつ、ロープを切断可能な切断手段（１０）を備えた遊戯手段（６）を備えている。
【０００４】
カットゲーム機の遊戯の様子は図５に示すとおりである。（Ａ）に示すように初期位置にある遊戯手段（６）を、遊戯者が適切に操作して、遊戯手段の備える切断手段（１０）がロープ（９）を切断できる位置に誘導することが遊戯課題である。（Ｂ）には適切に遊戯手段が誘導された状態を示しており、この後、切断手段が稼動してロープを切断する。すると、（Ｃ）に示すように、ロープに吊下展示されていた景品（５）は落下し、カットゲーム機下部に備えられた景品払出口（２）より遊戯者に払い出されるのである。
【０００５】
カットゲーム機では、景品を吊下展示するので、景品として小型のものから大型のものまで様々なものを使用可能であるのみならず、その形状も球形のように転がってしまうものを含めて任意のものを用いることができる。また、ロープの長さを変えることで景品の展示位置の高さを容易に変えることができ、景品を立体的に展示することも可能である。このようにすることによって景品そのものをカットゲーム機の意匠の一部として遊戯者にアピールすることができ、遊戯者の遊戯意欲を大いに惹起することができる。これは、景品をキャッチャーで掴みあげることを遊戯課題とするいわゆるクレーンゲーム機（例えば、特開２００２−２３９２０９公開特許公報に開示されたもの）や、景品載置棚に景品を載置して、景品載置棚の支持をプッシャーによって解除することを遊戯課題とするプッシャーゲーム機（例えば、意匠登録第１２０８７３５号意匠公報に開示されたもの）では得られない優れた特徴である。
【０００６】
また、遊戯者が操作する遊戯手段の備える切断手段によってロープを切断すれば景品が落下して払い出されるシンプルな仕組みは、遊戯課題達成から景品払出までのプロセスが直接的に結びついた理解の容易なものであるので、遊戯者が遊戯することに対して躊躇することも少ない。遊戯課題達成と景品払出までの間に、遊戯者から知覚されない電子的なプロセスが介在すると、遊戯者はしばしば胡散臭さのような印象を抱いて遊戯することを躊躇することがあるのだが、このような懸念は全く無いのである。さらに、ロープを切断した瞬間に景品が落下して払い出される様子は遊戯者に大きな爽快感を与えるものでもある。
【０００７】
以上のように優れた特徴を備えるカットゲーム機であるが、遊戯施設に設置して運用する上で次のような課題がある。すなわち、遊戯者は遊戯手段によってロープを切断すべく操作するのであるが、遊戯手段がロープに接触したものの切断することはできなかった場合（この場合は当然ながら遊戯課題に失敗していることになる）には、ロープ及びこれに吊下展示された景品が揺れてしまうことがある。このような揺れが発生すると、これが収束するまでの間は遊戯課題の難度が異常に高くなってしまい、遊戯者は遊戯をためらうことになるが、これはカットゲーム機の実質的な稼働率を下げてしまう要因になる。また、遊戯手段の先端でロープを大きく押しこんでしまった場合などでは、ロープ及びこれに吊下展示された景品の乱れが大きく、特に高密度に景品を吊下展示している場合などには隣接する景品やロープと絡んでしまう危険すら懸念される。
【０００８】
上記課題に対しては、本願考案者は遊戯空間内に案内手段を設けて対処してきた。案内手段とは、遊戯空間上部に取り付けられるロープ上端部と景品に取り付けられるロープ下端部の間で、ロープの動きを制限（案内）するものである。ロープには景品が吊下げられていることによって張力がかかった状態となっているため、遊戯空間上部に取り付けられた部分から案内手段までの部分のロープはピンと張った状態になり、問題になるレベルの揺れなどが発生することも無い。
【０００９】
案内手段は例えば図５に現れているように実施することができる。この例では、遊戯空間上部に水平に設けられた図示しない景品吊下パイプとその下方に同じく水平に設けられた案内パイプ（１１）を備え、案内パイプに設けられたスリットが案内手段（１２）である。景品吊下パイプに設けられたフックにロープの上端部に備えられたリングを掛けることでロープを取りつけ、ロープを案内手段であるスリットに通しておくことで、ロープの上端部から案内手段までの間のロープの揺れが防止される。
【００１０】
上記のように案内パイプに設けたスリットを案内手段とすると、シンプルな機構でありつつも前記した課題は相当程度解消されるのである。しかしながら、ロープを遊戯手段の先端で大きく押し込んでしまった場合などにロープが案内手段であるスリットから外れてしまう可能性があり、更なる改善が望まれていた。
【先行技術文献】
【特許文献】
【００１１】
【特許文献１】特開２０１０−１８４１２９公開特許公報
【特許文献２】特開２００２−２３９２０９公開特許公報
【特許文献３】意匠登録第１２０８７３５号意匠公報
【考案の概要】
【考案が解決しようとする課題】
【００１２】
以上説明したとおり、本考案が解決しようとする課題は、カットゲーム機の景品を吊下展示するロープを遊戯手段で押し込んでしまったり振動が発生した際にも、ロープが案内手段から外れてしまう事故を確実に防止でき、しかも、景品を新たに吊下展示する際や、すでに吊下展示されている景品の交換の際にロープを案内手段に案内したり外したりする作業を容易にかつ素早く行なうことのできる、ロープ保持具を提供することである。
【課題を解決するための手段】
【００１３】
（１）前記課題を解決するため、本考案においては、
遊戯空間内に景品をロープによって吊下展示可能とされ、かつ、該遊戯空間内に該ロープを案内する案内手段が設けられた案内パイプを備えた景品獲得ゲーム機で用いられるロープ保持具であって、
該案内パイプに取り付け可能とされた取付部と、
該取付部から延設された保持部を備え、
該案内パイプと該取付部間でスライドさせることで該案内パイプに沿って取り付け位置を変更可能とされており、
該保持部が該案内手段の一部を覆うことで、該案内手段から該ロープが外れることを防止することが可能とされている
ことを特徴とするロープ保持具としている。
【００１４】
すでに説明したとおり、カットゲーム機では多くの景品獲得ゲーム機同様に、少なくとも一部が透明または半透明の素材で遮蔽された遊戯空間を備えている。そして、典型的にはこの遊戯空間の上部に備えた景品吊下パイプ（吊下手段）にロープの一端に設けた吊下フックを掛けることで、他端に接続した景品を吊下展示する（または、吊下手段側がフック構造を備え、ロープ側にここに掛けられるループを備える場合もある）。遊戯空間内には、吊下手段の下方に案内パイプが備えられ、案内パイプには案内手段が設けられている。案内手段は典型的には案内パイプに設けられた溝として実現される。この案内手段は、景品を吊下展示するロープを通して案内することが可能とされており、ロープの揺れ等を防止することができる。これらの典型的な形態は、図５に現れている通りである。
【００１５】
さて、ロープ保持具には、案内パイプに取り付け可能とされた取付部が設けられる。取付部は典型的には、クリップのように案内パイプを挟持する機構によって実現され、案内パイプの任意の位置に取り付けることができる。さらに、案内パイプの長手方向に沿ってスライドさせることで、案内パイプからロープ保持具を取り外すことなくその位置を変更することができる。
【００１６】
さらに、ロープ保持具には取付部から保持部が延設される。保持部は、この部分が案内手段の開口部の一部を覆うような状態となるようにロープ保持具を案内パイプに取付可能とされている。典型的には、取付部は案内パイプの外周の少なくとも二分の一以上を挟持するクリップ構造であり、保持部はロープ保持具を案内パイプに取り付けた際に、案内パイプの長手方向に突き出して案内パイプの外周の三分の一未満程度の部分を覆う構造として実現することができる。この際、案内手段である溝はロープを案内できていないとならないのであるから、案内パイプの外周にロープが通過できるだけの溝が現れるだけの深さとされていなければならないことはいうまでも無い。
【００１７】
このような構成とすることで、ロープが遊戯手段によって押し込まれたりした場合であっても、案内手段の開口部が保持部で覆われているのでロープが案内手段から外れてしまう懸念は皆無となる。これにより、景品やロープのゆれが収まるまで遊戯者が遊戯を控えてしまい、結果としてカットゲーム機の稼働率が低下してしまうという事態や、大きく乱れたロープが他の景品等と絡まってしまうという課題は解消する。また、景品を新たに吊下展示する際に案内手段にロープを案内する際や、すでに吊下展示されていた景品を交換するために案内手段からロープを外す際には、ロープ保持具を案内パイプに沿ってスライドさせることによってロープのつけ外しを容易に行うことができる。また、その後、元の位置にロープ保持具を案内パイプに沿ってスライドさせることでロープの外れを再度防止することもすこぶる容易である。さらに、ロープ保持具を案内パイプから取り外す機会が少なくなることから、ロープ保持具を紛失する危険も少なくなる。
【００１８】
（２）前記課題を解決するため、本考案においては、
前記取付部は、前記案内パイプを挟持することによって取り付けられる
ことを特徴とする（１）に記載のロープ保持具としている。
【００１９】
案内パイプにロープ保持具を取り付けるための取付部としては、案内パイプを挟持するクリップ構造とすることができる。案内パイプの断面が円形の場合には、これを安定して挟持するために、案内パイプの外周の少なくとも二分の一よりも多くの範囲を挟持可能とすることが好ましい。また、案内パイプからロープ保持具が容易に脱落しないように、案内パイプを挟持する部分の先端に係止部を設けることも好ましい構造の一例である。
【００２０】
なお、挟持するとは、いわゆる洗濯ばさみのように挟持力を発生するバネと挟持構造を別部材で実現してもよいが、弾性に富む板状素材を曲げ加工するなどした場合のように挟持力を発生する部材と挟持構造が同じ部材で実現されていても良い。また、挟持構造の断面形状が案内パイプよりもやや大きい同形状とすると、ロープ保持具を案内パイプに取り付けた際にすっきりとした外観が得られるのでより好ましい。
【００２１】
案内パイプの表面、及び、取付部の内面はいずれも滑らかに処理されていることが好ましい。このようにされていれば、挟持による摩擦力で取り付けられているロープ保持具は、これを取り外すことなく案内パイプの長手方向にスライドさせて位置を調整することが容易だからである。
【００２２】
（３）前記課題を解決するため、本考案においては、
前記取付部は、永久磁石を備えており、該永久磁石の磁力によって前記案内パイプに取り付けられる
ことを特徴とする（１）に記載のロープ保持具としている。
【００２３】
案内パイプにロープ保持具を取り付けるための取付部は、前記のように案内パイプを挟持するクリップ構造に限られるものではない。例えば、案内パイプが鉄やフェライト系ステンレス、マルテンサイト系ステンレスのように磁石につく素材で構成されている場合には、ロープ保持具を取り付けるための取付部を永久磁石を備えた適当な構造とすることができる。この場合、取付部そのものを永久磁石で構成してもよいし、取付部を構成する適当な部材に永久磁石を備える構造としても良い。いずれにしても、ロープ保持具への取付は永久磁石の磁力によって行なわれる。また、このような取付部を備えた保持具は、案内パイプにそってスライドさせることが可能であることなどは先の例と同様である。
【００２４】
（４）前記課題を解決するため、本考案においては、
前記取付部または前記保持部の少なくとも一方に、前記案内パイプに取り付けた際に前記案内パイプの軸方向と垂直になる方向に突出する突出部が設けられている
ことを特徴とする（１）〜（３）に記載のロープ保持具としている。
【００２５】
すでに説明したが、案内パイプに取り付けたロープ保持具を、案内パイプに沿ってスライドさせることができることが好ましい。ロープ保持具を案内パイプから取り外すことなく、保持部が案内手段を覆う状態と覆わない状態を変化させることができ、これによってすばやくロープを案内手段に案内したり外したりすることが可能になるので、景品の補充や交換といった作業をよりすばやく容易に行なうことができるからである。また、ロープ保持具を紛失してしまう事故の防止にも効果がある。また、ロープ保持具は遊戯者から視認可能な位置に取り付けて使用するので、良好な外観を実現するため、案内パイプにフィットした形状とすることが好ましい。しかしながら、案内パイプにフィットしたデザインを追及すると、ロープ保持具を手指でスライドさせる際に手指が掛かりにくく、作業性が悪くなるという懸念がある。
【００２６】
そこで、ロープ保持具を案内パイプに取り付けた際に、案内パイプの軸方向と垂直になる方向に突出する突出部を設ければ、この突出部に手指を掛けて容易にロープ保持具をスライドさせることが可能となり、良好な作業性が確保される。なお、ロープ保持具をスライドする際に手指を掛けることができるという機能を果たす限り、突出体を二箇所以上に設けてもよく、また、取付部に設けても保持部に設けてもかまわない。ただし、保持部が案内手段を覆ったかどうかを良好に視認できることが好ましく、したがって、作業時に保持部周りの視認性が良好に保たれることが好ましい。この為、典型的には保持部から離れた取付部に突出部を設け、作業時に突出部や手指が保持部周りの視界をさえぎらないようにすることが好ましい。
【００２７】
（５）前記課題を解決するため、本考案においては、
前記突出部に紐通穴が設けられている
ことを特徴とする（４）に記載のロープ保持具としている。
【００２８】
カットゲーム機では、遊戯者が遊戯手段を首尾よく操作してロープの切断に成功すれば、ロープによって吊下展示されていた景品は落下し、カットゲーム機下方に設けられた景品払出口より遊戯者に払い出される。この際、ロープは案内手段に案内されつつすり抜けるのみであるので、通常は  ロープ保持具にはなんらの影響を与えない。しかしながら、切断されたロープの乱れその他の影響によって、ロープが案内手段をすり抜ける際にロープ保持具を叩いてしまうような状態が発生して、この衝撃によってロープ保持具が脱落してしまうことが想定される。脱落したロープ保持具は、景品とともに景品払出口から遊戯者に払い出されてしまうこともあり得える。また、ロープ保持具がカットゲーム機の遊戯空間に留まったとしても、別の景品等に引っかかる等して、この景品とともに後日払い出されてしまったりすることも想定される。いずれにせよ、ロープ保持具の脱落は、直ちに紛失事故の原因になる。
【００２９】
そこで、ロープ保持具の突出部に紐通穴（貫通穴）を設け、ここに紐等を通して案内パイプに縛り付けるなどしておくと良い。このようにしておくと、ロープ保持具が案内パイプから脱落しても、この紐等によってロープ保持具がぶら下がる状態になるので、紛失してしまう懸念が無くなる。また、突出部は案内パイプ表面付近から突き出した構造であるので、ここに設けた紐通穴に紐等を通すことは非常に簡単であるし、また、この紐等がロープ保持具の案内パイプへの取付の障害になることも無い。なお、ここで紐等とは、糸や紐はもちろん、針金やいわゆる結束バンドなど、様々なものを利用可能であることはいうまでも無い。
【００３０】
（６）前記課題を解決するため、本考案においては、
前記保持部に凸部が設けられ、該凸部は前記案内手段に僅かに嵌るように設定されている
ことを特徴とする（１）〜（５）に記載のロープ保持具としている。
【００３１】
ロープ保持具の保持部が案内手段を適切に覆い、ロープが案内手段から外れてしまわない状態とすることが、本ロープ保持具の使用目的である。しかし、ロープ保持具が適切な位置に取り付けられたかを目視にて確認することが容易でない場合がある。例えば、作業者の身長が低い場合や高密度に景品が吊下展示されている場合、及び、案内手段付近が暗い場合などには、ロープ保持具の状態を目視のみにて確認することに無理がある場合が考えられる。
【００３２】
そこで、保持部に小さな凸部を設け、ロープ保持具の保持部が適切に案内手段を覆っていない位置では、この凸部が案内パイプの表面に乗り上げている状態であるが、ロープ保持具の保持部が適切に案内手段を覆っている適切な位置では凸部が案内手段に嵌るように設定することが好ましい。このようにすると、ロープ保持具が適切な位置に移動された瞬間に、凸部が案内手段に嵌ることによって発生する特有のクリック感が作業者に感じられるので、このクリック感によって作業者がロープ保持具の位置が適切に設定されたことを感知できるのである。これにより、目視確認が難しい状況においても、適切な位置にロープ保持具を取り付けることが容易となる。
【００３３】
（７）前記課題を解決するため、本考案においては、
ばね鋼鋼材によって作られている
ことを特徴とする（１）〜（６）に記載のロープ保持具としている。
【００３４】
本考案に係るロープ保持具は、ばね鋼鋼材によって構成することが好ましい。ばね鋼鋼材は高い弾性限と耐疲労限を備えたものが利用可能であるので、薄いばね鋼鋼材を打ち抜いて曲げ加工することで容易に耐久性に優れたロープ保持具を容易に得られるからである。なお、ばね鋼鋼材は弾性に富むため、案内パイプを挟持することで取り付けるタイプのロープ保持具の構成材料として好適であるが、ばね鋼鋼材製の本体に永久磁石を取り付けて、磁力によって案内パイプに取り付けるタイプのロープ保持具を構成することも可能である。
【００３５】
ところで、ばね鋼鋼材薄板の打ち抜き及び曲げ加工によってロープ保持具を製造する場合、係止部は縁巻き加工によって構成すると良い。また、凸部は突出し加工によって得ることができる。
【００３６】
（８）前記課題を解決するため、本考案においては、
樹脂によって作られている
ことを特徴とする（１）〜（６）に記載のロープ保持具としている。
【００３７】
本考案に係るロープ保持具は、樹脂によって構成することが好ましく、より好ましくは、熱可塑性樹脂によって構成すると良い。特に、熱可塑性樹脂を材料に射出成型加工によって製造すると、大量生産時には非常に安価にロープ保持具を得ることができる。また、原料樹脂に着色することで様々な色のロープ保持具を得ることも容易であるので、この点でも見栄えが重要なカットゲーム機に適している。なお、樹脂ではばね鋼鋼材ほどに高い弾性限を実現することは困難であるものの、目的に対して十分な水準のものを得ることは困難ではなく、案内パイプを挟持することで取り付けるタイプのロープ保持具の実現は容易である。また、非磁性材料であるので、樹脂製の本体に永久磁石を取り付けて、磁力によって案内パイプに取り付けるタイプのロープ保持具を構成することも可能である。
【考案の効果】
【００３８】
（１）遊戯空間内の案内パイプに取付可能な取付部と、取付部から延設された保持部を備えたロープ保持具としたので、案内手段部分を保持部が覆った状態にロープ保持具を取り付けることができる。これによって、ロープが遊戯者が操作する遊戯手段によって押し込まれたりした場合であっても、案内手段に案内されるロープが外れてしまうことが防止され、景品やロープのゆれが収まるまで遊戯者が遊戯を控えてしまい、結果としてカットゲーム機の稼働率が低下してしまうという事態や、ロープが他の景品等と絡まってしまうという課題は解消する。
【００３９】
また、案内パイプと取付部間でスライドさせることにより、ロープ保持具を案内パイプの長手方向に沿って取付位置を変更可能としたので、ロープ保持具を取り外すことなく、ロープを案内手段に案内させたり外したりを容易に行うことができる。これにより、景品の展示や交換時の作業性が向上するほか、案内手段の紛失が防止されるという効果が得られる。
【００４０】
（２）案内パイプを挟持することによって取り付けられることとしたので、比較的簡単な構造ですっきりとした構造のロープ保持具が得られるという効果が得られる。また、案内パイプに沿ってロープ保持具をスライドさせて位置調整することもきわめて容易になるという効果が得られる。
【００４１】
（３）取付部に永久磁石を備え、これの磁力によって案内パイプに取り付けられることとしたので、磁性材料で構成された案内パイプであれば形状によらずに取り付け可能なロープ保持具が実現できるという効果が得られる。。
【００４２】
（４）案内パイプに取り付けた際に案内パイプの軸方向と垂直になる方向に突出する突出部を設けたので、ここに手指を掛けて容易にロープ保持具を容易にスライドさせることができる。これによって、ロープを案内手段にすばやく容易に案内させたり外したりすることが可能になるという効果が得られる。
【００４３】
（５）突出部に紐通穴を設けたので、ここに紐等を通して案内パイプに縛り付けることで、案内手段が案内パイプから脱落した際にも、この紐等によってロープ保持具がぶら下がる状態になるので、紛失してしまう懸念が無くなるという効果が得られる。
【００４４】
（６）保持部に凸部を設け、これが案内手段に僅かに嵌るように設定したので、ロープ保持具が適切な位置に移動された瞬間に、凸部が案内手段に嵌ることによって発生する特有のクリック感が作業者に感じられる。このクリック感によって作業者がロープ保持具の位置が適切に設定されたことを感知でき、目視確認が難しい状況においても、適切な位置にロープ保持具を取り付けることが容易となるという効果が得られる。
【００４５】
（７）ばね鋼鋼材によってロープ保持具を構成したので、優れた耐久性のロープ保持具を得られるという効果が得られる。
【００４６】
（８）樹脂によってロープ保持具を構成したので、錆等の発生が無く、美しく着色されたロープ保持具を安価に得られるという効果が得られる。特に、熱可塑性樹脂を材料に射出成型によってロープ保持具を製造した場合、安価にロープ保持具を得られるという効果は益々顕著となる。
【図面の簡単な説明】
【００４７】
【図１】本考案に係るロープ保持具の実施方法を示した説明図である。
【図２】本考案に係るロープ保持具の実施方法を示した説明図である。
【図３】ロープ保持具の使用方法を示した説明図である。
【図４】カットゲーム機の例を示した説明図である。
【図５】カットゲーム機の遊戯の様子を示した説明図である。
【考案を実施するための形態】
【００４８】
以下、図面を用いて本考案の実施例について詳細に説明する。
【実施例１】
【００４９】
図１は、本考案に係るロープ保持具の一実施形態を示した説明図である。また、図３はこのロープ保持具の使用形態を示した説明図である。
【００５０】
ロープ保持具（１３）は、熱可塑性樹脂を原材料として射出成型加工によって製造しており、断面形状が略Ｕ字状の取付部（１４）を備えている。取付部（１４）の縁部には係止部（１８）が設けられている。ロープ保持具（１３）を案内パイプ（１１）に押し付けると、取付部（１４）が弾性で案内パイプ（１１）を挟持し、取り付けられることになる。この状態は、取付部（１４）の弾性による挟持力のみでなく、係止部（１８）が案内パイプ（１１）に係ることによる係止効果によって安定する。
【００５１】
取付部（１４）からは保持部（１５）が延設される。ロープ保持具（１３）が案内パイプ（１１）の適切な位置に取り付けられると、図３（Ａ）に示すように、保持部（１５）が案内手段（１２）の一部を覆う状態となる。これにより、案内手段（１２）に案内されるロープ（９）は、これが図示しない遊戯手段等に押し込まれるような事態にあっても案内手段（１２）から外れてしまう懸念は全く無い。。
【００５２】
また、取付部（１４）の他端には突出部（１６）が設けられており、この部分に手指を掛けて容易にロープ保持具（１３）を案内パイプ（１１）に沿ってスライドさせることができる。ロープ保持具（１３）をスライドさせた状態の例を図３（Ｂ）に示すが、この状態では、ロープ（９）は容易に案内手段から取り外すことが可能であり、新たに景品を吊下展示してロープを案内手段に案内したり、あるいは、すでに吊下展示されている景品を交換したりすることはすこぶる容易である。また、ロープ保持具（１３）を案内パイプ（１１）から取り外す必要が無いので、紛失事故が発生する懸念も少ない。
。
【００５３】
なお、図１や図３には示していないが、突出部（１６）に設けられた紐通穴（１７）に紐などを通して案内パイプ（１１）などに縛っておけば、何らかの事故でロープ保持具（１３）が案内パイプ（１１）から脱落してしまった際にも、案内パイプ（１１）からぶら下がるのみで落下してしまうことはないので、より紛失事故を確実に防止できる。
【００５４】
ところで、保持部（１５）の内面には凸部（１９）が設けられている。凸部（１９）は案内手段（１２）に嵌る程度の大きさに設定されており、保持部（１５）が案内手段（１２）を正しく覆っていない位置では、案内パイプ（１１）の表面に乗り上げている状態であるが、保持部（１５）が案内手段（１２）を正しく覆っている状態では、案内手段（１２）に嵌った状態になる。従って、ロープ保持具（１３）を案内パイプ（１１）に沿ってスライドさせると、適切な位置に移動した瞬間に手指に特有の凸部（１９）が案内手段（１２）に嵌ることによる特有のクリック感が伝わるので、作業者は目視によらずともロープ保持具（１３）が適切な位置となったことを感知できる。
【００５５】
なお、図示していないが取付部（１４）に永久磁石を備えることもできる。樹脂はいわゆるばね材ほどには弾性に優れておらず耐久性にも劣ることが普通であるので、繰り返し使用していると挟持力が低下することがあるが、永久磁石の磁力はこのような劣化はほとんど無いので、長期間にわたって使い続けることのできるロープ保持具が得られることになる。
【実施例２】
【００５６】
図２は、本考案に係るロープ保持具の別の実施形態を示した説明図である。
【００５７】
本実施例は、ロープ保持具（１３）をばね鋼鋼材の薄板を打ち抜き、曲げ加工を施すことによって製造したものである。材料は異なるものの、その形状や働きは実施例１の場合と実質的に等価なものであるので、本実施例に特徴的な部分のみ説明を加える。
【００５８】
本実施例では、係止部（１８）を縁巻き加工によって構成している。別部材によって係止部（１８）を構成するよりも安価であるし、打ち抜き加工時の断面部が巻き込まれるので、安全性が向上するほか、案内パイプへの取り付け・取り外し時や案内パイプに取り付けたままスライドさせる際に、案内パイプを傷つけてしまう懸念も少なくなる。
【００５９】
凸部（１９）は突出し加工によって構成している。ロープ保持具（１３）を案内パイプにそってスライドさせる際に、凸部（１９）が案内手段に嵌ることで特有のクリック感が作業者に感知されるのであるが、これに必要な凸部（１９）の突出し量はごく僅かであるので、安価かつ容易に加工できる突出し加工としたものである。
【産業上の利用可能性】
【００６０】
以上説明したとおり、本考案は、カットゲーム機の景品を吊下展示するロープを遊戯手段で押し込んでしまったり振動が発生した際にも、ロープが案内手段から外れてしまう事故を確実に防止でき、しかも、景品を新たに吊下展示する際や、すでに吊下展示されている景品の交換の際にロープを案内手段に案内したり外したりする作業を容易にかつ素早く行なうことのできる、ロープ保持具を提供するものであり、産業上の価値はきわめて高い。
【符号の説明】
【００６１】
１      カットゲーム機
２      景品払出口
３      操作手段
４      遊戯空間
５      景品
６      遊戯手段
７      景品吊下パイプ（吊下手段）
８      吊下フック
９      ロープ
１０    切断手段
１１    案内パイプ
１２    案内手段
１３    ロープ保持具
１４    取付部
１５    保持部
１６    突出部
１７    紐通穴
１８    係止部
１９    凸部
【図１】
0003207006.tif 000003
【図２】
0003207006.tif 000004
【図３】
0003207006.tif 000005
【図４】
0003207006.tif 000006
【図５】
0003207006.tif 000007